(57)【要約】【課題】光パケットデータスイッチングネットワークにおいてパケットデータとパケットデータに対する経路情報である制御データを効率的に伝送する光データを伝送する方法、光データ伝送ノード、および光データ受信ノードを提供することを課題とする。【解決手段】本発明は、複数の波長を、隣接する波長からなる少なくとも２つの波長帯域に分割する。光パケットデータと制御データとがそれぞれ別の波長帯域を構成している波長によって伝送される。【選択図】図５
2006135988.tif 000002
【特許請求の範囲】
【請求項１】
光パケットデータと前記光パケットデータに対する制御データとを含む光データを伝送する方法において、
複数の波長を、隣接する波長からなる少なくとも２つの波長帯域に分割するステップと、
前記光パケットデータと前記制御データとをそれぞれ別の波長帯域を構成している波長によって伝送するステップと、
を含むことを特徴とする光データ伝送方法。
【請求項２】
前記複数の波長がλ1〜λ2n（ｎ：任意の自然数）から構成されれば、前記パケットデータを伝送する波長帯域はλ1〜λnであり、前記制御データを伝送する波長帯域はλn+1〜λ2nであることを特徴とする、
請求項１に記載の光データ伝送方法。
【請求項３】
前記パケットデータを伝送する波長と前記制御データを伝送する波長との波長差はλnであることを特徴とする、
請求項２に記載の光データ伝送方法。
【請求項４】
光線路を介して伝達された光データのうち、前記波長差を有する２つの光データを抽出し、前記抽出した２つの光データを分離することを特徴とする、
請求項３に記載の光データ伝送方法。
【請求項５】
光パケットデータと前記光パケットデータに対する制御データとを含む光データを伝送するノードにおいて、
複数の波長のうち、隣接する波長からなる第１波長帯域の波長を利用して前記光パケットデータを生成するパケットデータ生成部と、
前記第１波長帯域を構成している波長以外の隣接する波長からなる第２波長帯域の波長を利用して前記制御データを生成するラベル生成部と、
前記パケットデータ生成部から伝達されたパケットデータと前記ラベル生成部から伝達された制御データとを結合して出力する低密度波長分割多重化部と、
を含むことを特徴とする光データ伝送ノード。
【請求項６】
前記第１波長帯域は、λ1〜λn（ｎ：任意の自然数）であり、前記第２波長帯域は、λn+1〜λ2nであることを特徴とする、
請求項５に記載の光データ伝送ノード。
【請求項７】
前記パケットデータを伝送する波長と前記制御データを伝送する波長との波長差はλnであることを特徴とする、
請求項６に記載の光データ伝送ノード。
【請求項８】
光パケットデータと前記光パケットデータに対する制御データとを含む光データを受信するノードにおいて、
隣接する波長からなる第１波長帯域の波長と第２波長帯域の波長とを分離して出力する第１低密度波長分割多重化部と、
前記第１波長帯域の波長で伝送される光パケットデータを受信するパケットデータ受信部と、
前記第２波長帯域の波長で伝送される制御データを受信して更新するラベルスワッピング部と、
前記パケットデータ受信部から伝達されたパケットデータと前記ラベルスワッピング部から伝達された制御データとを結合した光データを出力する第２低密度波長分割多重化部と、
を含むことを特徴とする光データ受信ノード。
【請求項９】
前記第１波長帯域は、λ1〜λn（ｎ：任意の自然数）であり、前記第２波長帯域は、λn+1〜λ2nであることを特徴とする、
請求項８に記載の光データ受信ノード。
【請求項１０】
前記パケットデータを伝送する波長と前記制御データを伝送する波長との波長差はλnであることを特徴とする、
請求項９に記載の光データ受信ノード。
【請求項１１】
光線路を介して伝達された光データのうち、前記波長差を有する２つの光データを抽出し、前記第１低密度波長分割多重化部に伝達する第１循環配列波長発生部を含むことを特徴とする、
請求項１０に記載の光データ受信ノード。
【請求項１２】
前記第２循環配列波長発生部から伝達された少なくとも２つの結合した光データを結合して出力する第２循環配列波長発生部をさらに含むことを特徴とする、
請求項１１に記載の光データ受信ノード。
【発明の詳細な説明】
【技術分野】
【０００１】
本発明は、光データ伝送方法、光データ伝送ノード、および光データ受信ノードに係り、特に、光パケットデータスイッチングネットワークにおいてパケットデータとラベルとをエラーなしに伝送、受信する技術に関する。
【背景技術】
【０００２】
一般に、光パケットデータスイッチングネットワークは、送信部が位置する出発地ノード（Ｓｏｕｒｃｅ  Ｎｏｄｅ）、送信部と受信部が位置する中継ノード（Ｒｅｌａｙ  Ｎｏｄｅ）、受信部が位置する目的先ノード（Ｄｅｓｔｉｎａｔｉｏｎ  Ｎｏｄｅ）などから構成され、光信号は、出発地ノードで生成され中継ノードを経て目的先ノードに伝送される、あるいは直接目的先ノードに伝送される。
【０００３】
光パケットデータスイッチングネットワークは、パケットデータとパケットデータの移動方向に関する情報を表すラベル（ｌａｂｅｌ）を伝送する。ラベルは、出発地ノードで生成され中継ノードに伝送され、中継ノードはラベルスワッピング（ｌａｂｅｌ  ｓｗａｐｐｉｎｇ）部を利用して受信したラベルを更新する。中継ノードは受信したラベルを利用して受信したパケットデータの目的先ノードを認知し、認知した目的先ノードにパケットデータを伝送する。ラベルスワッピングは、伝達されたラベルを構成している移動方向に関する情報を更新する過程を意味する。すなわち、ラベルスワッピング部は受信したラベルに自分の情報を加えることにより移動方向に関する情報を更新する。
【０００４】
ラベルを伝送する方式として、時分割多重化（Ｔｉｍｅ−Ｄｉｖｉｓｉｏｎ  Ｍｕｌｔｉｐｌｅｘｉｎｇ  ：  ＴＤＭ）方式、波長分割多重化（Ｗａｖｅｌｅｎｇｔｈ−Ｄｉｖｉｓｉｏｎ  Ｍｕｌｔｉｐｌｅｘｉｎｇ  ：  ＷＤＭ）方式、光学コード分割多重化（Ｏｐｔｉｃａｌ−Ｃｏｄｅ−Ｄｉｖｉｓｉｏｎ  Ｍｕｌｔｉｐｌｅｘｉｎｇ  ：  ＯＣＤＭ）方式、副搬送波多重化（Ｓｕｂ−Ｃａｒｒｉｅｒ  Ｍｕｌｔｉｐｌｅｘｉｎｇ  ：  ＳＣＭ）方式、垂直型光ラベル（Ｏｒｔｈｏｇｏｎａｌ  Ｏｐｔｉｃａｌ  Ｌａｂｅｌ）方式などがある。
【０００５】
図１は、副搬送波多重化方式を説明するための図である。同図に示すように、副搬送波多重化方式は各波長λn（ｎは自然数）毎に情報を盛り込んだパケットデータが存在し、各波長から±ｆcだけ離隔した位置に副搬送波形態でラベルを盛り込んでパケットデータと共に伝送する。
波長分割多重化方式は、１つの光ファイバーに波長の異なる複数の光チャネルを多重化し伝送する技術である。波長分割多重化方式は、奇数番目の波長λ2m+1（ｍは正の整数）にパケットデータを伝送し、偶数番目の波長λ2m（ｍは正の整数）にラベルを盛り込んで伝送する。このように、波長分割多重化方式は、別の波長を利用してラベルを伝送するので、ラベルを伝送するための別の光チャネル（ｏｐｔｉｃａｌ  ｃｈａｎｎｅｌ）（波長）が求められる。また、波長分割多重化方式は、パケットデータを伝送する波長とラベルを伝送する波長とが隣接するので、これら波長を容易に分離できない短所がある。
【０００６】
時分割多重化方式は、パケットデータの一番目のビットから八番目のビットまでの間にラベルを割当て伝送する。したがって、波長分割多重化方式や副搬送波多重化方式と異なって、ラベル情報を得るためパケットデータを処理しなければならないので、ラベルスワッピング処理が複雑になる問題がある。
【発明の開示】
【発明が解決しようとする課題】
【０００７】
本発明は、前記のような問題点を鑑みてなされたものであって、その目的は、光パケットデータスイッチングネットワークにおいてパケットデータとパケットデータに対するラベルを効果的に伝送する方法を提供することにある。
本発明の他の目的は、受信したラベルを更新するラベルスワッピング部を簡単な方式で具現する方法を提供することにある。
【課題を解決するための手段】
【０００８】
前記目的を達成するため、光パケットデータと光パケットデータに対する制御データとを含む光データを伝送する方法において、複数の波長を、隣接する波長からなる少なくとも２つの波長帯域に分割するステップと、光パケットデータと制御データとをそれぞれ別の波長帯域を構成している波長によって伝送するステップと、を含むことを特徴とする光データ伝送方法が提供される。
【０００９】
本発明の他の目的を達成するため、光パケットデータと光パケットデータに対する制御データとを含む光データを伝送するノードにおいて、複数の波長のうち、隣接する波長からなる第１波長帯域の波長を利用して光パケットデータを生成するパケットデータ生成部と、第１波長帯域を構成している波長以外の隣接する波長からなる第２波長帯域の波長を利用して制御データを生成するラベル生成部と、パケットデータ生成部から伝達されたパケットデータとラベル生成部から伝達された制御データとを結合して出力する低密度波長分割多重化部と、を含むことを特徴とする光データ伝送ノードが提供される。
【００１０】
なお、ノードとは、例えば、ネットワークを構成する要素を意味し、例えば、ネットワーク上に接続されている機器を意味する（以下、同様）。
また、本発明のさらに他の目的を達成するため、光パケットデータと光パケットデータに対する制御データとを含む光データを受信するノードにおいて、隣接する波長からなる第１波長帯域の波長と第２波長帯域の波長とを分離して出力する第１低密度波長分割多重化部と、第１波長帯域の波長で伝送される光パケットデータを受信するパケットデータ受信部と、第２波長帯域の波長で伝送される制御データを受信して更新するラベルスワッピング部と、パケットデータ受信部から伝達されたパケットデータとラベルスワッピング部から伝達された制御データとを結合した光データを出力する第２低密度波長分割多重化部と、を含むことを特徴とする光データ受信ノードが提供される。
【発明の効果】
【００１１】
本発明によれば、パケットデータを伝送するための波長帯域とラベルを伝送するための波長帯域を分離する方法が提供される。このように、パケットデータ波長帯域とラベル波長帯域とに区分することで、低密度波長分割多重化部を利用してパケットデータを伝送する波長とラベルを伝送する波長を容易に分離できる。
【発明を実施するための最良の形態】
【００１２】
以下、添付した図面に基づいて本発明の好適な実施形態による光パケットスイッチングネットワークにおいてパケットデータとラベルを効率的に伝送する方法について詳説する。
図２は、本発明に係るパケットデータを伝送するための波長帯域（ｗａｖｅｌｅｎｇｔｈ  ｂａｎｄｗｉｄｔｈ）とラベルを伝送するための波長帯域を示す。ラベルはパケットデータに対する経路情報を含んでいるため一種の制御データである。同図に示すように、パケットデータを伝送するための波長帯域は、λ1〜λnであり、ラベルを伝送するための波長帯域は、λn+1〜λ2nである。すなわち、同図に示すように、パケットデータを伝送する波長とパケットデータに対するラベルを伝送する波長とは一定の波長差λnを有する。ｎは、ユーザの設定によって異なることは自明である。従来の波長分割多重化方式では、パケットデータを伝送する波長とパケットデータに対するラベルを伝送する波長とは隣接する。すなわち、パケットデータを伝送する波長がλmであれば、このパケットデータに対するラベルを伝送する波長はλm+1である。しかし、本発明では、パケットデータを伝送する波長がλmであれば、このパケットデータに対するラベルを伝送する波長はλn+mである。これにより、受信したパケットデータを伝送する波長とラベルを伝送する波長を容易に分離できる。同図はノードで伝送する光信号がパケットデータとパケットデータに対するラベルとを含むので、２つの波長帯域に分割した。しかしながら、ノードで伝送する光信号の種類が３つであれば、３種類の光信号を伝送するため３つの波長帯域に分割すべきである。
【００１３】
図３は、本発明に係るパケットデータとパケットデータに対するラベルを生成するソースノードの構成を示す。同図に示すように、ソースノードは、パケットデータ生成部３００、ラベル生成部３０２、及び低密度波長分割多重化部（Ｃｏａｒｓｅ  Ｗａｖｅｌｅｎｇｔｈ  Ｄｉｖｉｓｉｏｎ  Ｍｕｌｔｉｐｌｅｘ  ：  ＣＷＤＭ）３０４を含む。もちろん、前記の構成以外に他の構成がソースノードに含まれ得ることは自明であるが、図３は説明の便宜のため必要な構成のみを示している。
【００１４】
パケットデータ生成部３００は、ソースノードが目的先ノードに伝送するパケットデータを生成する。パケットデータ生成部３００でパケットデータを生成する過程と本発明とはいずれの関係がないので、詳しい説明は省く。しかし、パケットデータ生成部３００は、生成したパケットデータをλ1の波長を利用して伝送する。以下、パケットデータを伝送する光チャネルとλ1とは同じ意味とみなす。パケットデータ生成部３００は、生成したパケットデータを、λ1を利用してＣＷＤＭ３０４に伝達する。
【００１５】
ラベル生成部３０２は、パケットデータ生成部３００で生成したパケットデータに対する経路情報を生成する。経路情報には、ソースノードのアドレス、目的先ノードのアドレス、パケットデータを受信する中継ノードのアドレスなどが含まれる。ラベル生成部３０２は、生成したラベルをλn+1を有する波長を利用して伝送する。以下、ラベルを伝送する光チャネルとλn+1とは同じ意味とみなす。ラベル生成部３０２は生成したラベルをλn+1を利用してＣＷＤＭ３０４に伝達する。
【００１６】
ＣＷＤＭ３０４は、パケットデータ生成部３００から伝達されたパケットデータとラベル生成部３０２から伝達されたラベルとを結合して出力する。すなわち、ＣＷＤＭ３０４は受信したλ1の波長を有するパケットデータとλn+1の波長を有するラベルとを結合して１つの光線路（ｏｐｔｉｃａｌ  ｆｉｂｅｒ）に出力する。もちろん、ソースノードは先ずラベルを伝送したのちパケットデータを伝送する。ラベルを伝送したのちパケットデータを伝送することで、中継ノードは受信したラベルを利用してパケットデータを伝送する光経路を予め設定できる。
【００１７】
図４は、本発明に係るパケットデータとラベルを受信する中継ノードの構造を示す。中継ノードは、２つのＣＷＤＭ４００、４２０と、パケットデータ受信部４１０と、ラベル受信部４１２と、ラベルスワッピング部４１４とを含む。前記の構成以外に他の構成が中継ノードに含まれてもよいが、図４は説明の便宜のため必要な構成のみを示している。
図４では、ソースノードと中継ノードとは異なる構成を有しているが、実際には、ソースノードと中継ノードは同じ構成であってもよい。例えば、ノードがソースノードとして動作する場合と中継ノードとして動作する場合とによって、同一のノードが異なる動作を行うだけであってもよい。すなわち、図３に示すソースノードは、パケットデータ受信部とラベル受信部とを含んでいてもよいが、パケットデータとラベルを伝送する機能を担当しているので、パケットデータ受信部とラベル受信部との図示を省略した。したがって、ソースノードが中継ノードの機能を行う場合、そのソースノードが備えるパケットデータ受信部とラベル受信部にてその動作が行われる。
【００１８】
ＣＷＤＭ４００は、隣接するソースノードまたは中継ノードから光線路を介してパケットデータとラベルを受信する。パケットデータはλ1を利用して受信され、ラベルはλn+1を利用して受信される。ＣＷＤＭ４００は、受信したパケットデータとラベルを分離する。
一般に、波長分割多重化部は、低密度波長分割多重化部と高密度波長分割多重化部（Ｄｅｎｓｅ  ＷＤＭ：ＤＷＤＭ）とに区分される。ＤＷＤＭは、波長領域を分離することにおいて分離されたチャネル（波長）間隔が狭いＷＤＭを意味する。通常、ＤＷＤＭは、１．６ｎｍ（２００ＧＨｚ）、０．８ｎｍ（１００ＧＨｚ）または０．４ｎｍ（５０ＧＨｚ）単位のチャネル間隔を有する。反面、ＣＷＤＭは分離されたチャネル間隔が広いＷＤＭを意味する。通常、ＣＷＤＭは、２０ｎｍ以上のチャネル間隔を有する。したがって、光線路を介して受信したパケットデータとラベルとの波長間隔が狭い場合、ＤＷＤＭでは、パケットデータとラベルを容易に分離できるが、ＣＷＤＭでは分離し難い。
【００１９】
しかし、本発明によれば、パケットデータはλ1を利用して伝送され、ラベルはλn+1を利用して伝送されるため、ＣＷＤＭ４００はパケットデータとラベルを容易に分離できる。ＣＷＤＭ４００は、分離したパケットデータをパケットデータ受信部４１０に伝達し、分離したラベルをラベル受信部４１２に伝達する。
パケットデータ受信部４１０は、伝達されたパケットデータの目的先ノードが自分でないので、パケットデータをＣＷＤＭ４２０に伝達する。もちろん、パケットデータ受信部４１０は、伝達されたパケットデータの目的先ノードが自分であれば、パケットデータを自分の上位階層に伝達する。パケットデータ受信部４１０は、受信したラベルを利用して受信したパケットデータの目的先ノードであるか判断する。
【００２０】
ラベル受信部４１２は、ＣＷＤＭ４００からラベルを受信し、受信したラベルに含まれた情報を分析する。情報は受信するまたは受信したパケットデータのソースノードアドレス、目的先ノードアドレスなどから構成される。ラベル受信部４１２は、ラベルの情報の中で目的先ノードアドレスを分析することで、以後受信するパケットデータの目的先ノードが自分であるか判断する。図４は、中継ノードについて記述しているので、中継ノードは、以後受信するパケットデータの目的先ノードが自分でないことを認識する。したがって、ラベル受信部４１２は、伝達されたラベルをラベルスワッピング部４１４に伝達する。
【００２１】
ラベルスワッピング部４１４は、ラベル受信部４１２から伝達されたラベルを更新する。すなわち、ラベルスワッピング部４１４は、伝達されたラベルに自分の情報を加えることで、経路情報を更新する。図４は、ラベルスワッピング部４１４を示し、図３は、ラベル生成部３０２を示している。しかし、ラベルスワッピング部４１４とラベル生成部３０２とは１つの構成になり得ることは自明である。すなわち、ラベルスワッピング部４１４でラベル更新だけでなくラベル生成も行うことができ、ラベル生成部３０２でラベル生成だけでなくラベル更新も行うことができる。
【００２２】
ラベルスワッピング部４１４は、伝達されたラベルを更新したのち、ＣＷＤＭ４２０に伝達する。ＣＷＤＭ４２０は、パケットデータ受信部４１０から伝達されたパケットデータとラベルスワッピング部４１４から伝達されたラベルとを結合して出力する。ＣＷＤＭ４２０で行われる動作は図３のＣＷＤＭ３０４で行われる動作と同じである。
以上、ノードがソースノードである場合と中継ノードである場合について説明した。しかし、ノードが目的先ノードである場合には、中継ノードと同じ動作を行う。但し、中継ノードは伝達されたパケットデータとラベルを隣接ノードに伝達するが、目的先ノードは伝達されたパケットデータを上位階層に伝達する。
【００２３】
図５は、本発明に係るノードの構造を示す。以下、同図に基づいて本発明に係るノードの構造について説明する。ノードは、２つの循環配列波長発生部（Ｃｙｃｌｉｃ  Ａｒｒａｙ  Ｗａｖｅｌｅｎｇｔｈ  Ｇｅｎｅｒａｔｏｒ  ：  循環ＡＷＧ）５０２、５１６と、２つのＣＷＤＭ５０４、５１４と、パケットデータ生成部５０６と、光スイッチ５０８と、ラベル受信部５１０と、ラベルスワッピング部５１２とを含む。また、ノードは、光増幅部５００から増幅したパケットデータとラベルを受信し、それぞれに対する処理を行い、処理後のパケットデータとラベルを光増幅部５１８に伝達する。一般に、光増幅部５００、５１８は、光線路上に位置する。
【００２４】
光増幅部５００は、伝達されたパケットデータとラベルを増幅し、循環ＡＷＧ５０２に伝達する。循環ＡＷＧ５０２は、パケットデータとラベルを受信した波長を分離して出力する。すなわち、循環ＡＷＧ５０２に入力される波長の個数が２ｎ個であれば、循環ＡＷＧ５０２は、入力可能な波長を第１グループ〜第ｎグループから構成されるｎ個のグループに区分する。循環ＡＷＧ５０２は、各グループに含まれる波長を１つの経路を介して出力する。以下、波長について説明する。第１グループにはλ1、λn+1が含まれ、第２グループにはλ2、λn+2が含まれる。ｎグループにはλn、λ2nが含まれる。以下、少なくとも２つの波長から構成されるグループを波長グループという。波長グループは、パケットデータを伝送する波長とパケットデータに対するラベルを伝送する波長とから構成される。
【００２５】
循環ＡＷＧ５０２は、波長グループを構成している波長を分離してＣＷＤＭ５０４に伝達する。ＣＷＤＭ５０４は伝達されたグループ毎に分離された波長を個々の波長に分離する。前述したように、ＣＷＤＭ５０４は、１つのグループを構成している波長を分離すれば良い。すなわち、ＣＷＤＭ５０４は、第１グループを構成している波長が伝達された場合、λ1とλn+1を分離する。また、ＣＷＤＭ５０４は、第ｎグループを構成している波長が伝達された場合、λnとλ2nを分離する。ＣＷＤＭ５０４は、分離した波長の中でパケットデータ波長帯域に含まれる波長を光スイッチ５０８に伝達し、ラベル波長帯域に含まれる波長をラベル受信部５１０に伝達する。パケットデータ波長帯域とラベル波長帯域は図２に示している。
【００２６】
パケットデータ生成部５０６は、目的先ノードに伝送するパケットデータを生成する。なお、ノードがソースノードとしての機能を行う場合のみ、パケットデータ生成部５０６はこの動作を行う。図５に示すように、生成したパケットデータは、λaを利用して伝送される。ここで、ａは１〜ｎの間の値を有する。パケットデータ生成部５０６でパケットデータを生成した場合、パケットデータに対するラベルを生成しなければならない、というのは前述した通りである。
【００２７】
光スイッチ５０８は、ＣＷＤＭ５０４から伝達されたパケットデータの中でノードが目的先ノードであるパケットデータがあるか探索する。もちろん、探索は受信したラベルを利用する。光スイッチ５０８は、ノードが目的先ノードであるパケットデータを抽出する。図５に示すように、光スイッチ５０８はλbの波長を有するパケットデータを抽出する。ここで、ｂは１〜ｎの間の値を有する。同図には図示していないが、光スイッチ５０８は、パケットデータ受信部を含んでもよいし、光スイッチ５０８は、パケットデータ受信部の機能を同時に行ってもよい。
【００２８】
ラベル受信部５１０は、伝達されたラベルの中でノードが目的先ノードであることを指示するラベルがあるか探索する。探索の結果、ノードが目的先ノードであることを指示するラベルがあれば、ラベルはさらに伝送する必要がないため抽出される。同図に示すように、λn+bの波長を有するラベルを抽出したことがわかる。ラベル受信部５１０は、このような動作を行いながら伝達されたラベルをラベルスワッピング部５１２に伝達する。
【００２９】
ラベルスワッピング部５１２は、ラベル受信部５１０から伝達されたラベルを更新する。すなわち、ラベルスワッピング部５１２は、ノードに対する情報を経路情報に加えることで、ラベルを更新する。また、ラベルスワッピング部５１２は、ノードがパケットデータを生成する場合、パケットデータに対する経路情報を示すラベルを生成する。前述したように、パケットデータ生成部５０６がλaの波長を有するパケットデータを生成すれば、ラベルスワッピング部５１２は、λn+aの波長を有するラベルを生成する。ラベルスワッピング部５１２は、更新または生成したラベルをＣＷＤＭ５１４に伝達する。
【００３０】
ＣＷＤＭ５１４は、光スイッチ５０８から伝達されたパケットデータとラベルスワッピング部５１２から伝達されたラベルとをグループ毎に結合して出力する。グループについては前述した通りである。すなわち、ＣＷＤＭ５１４は、ＣＷＤＭ５０４で行われる動作の逆動作を行う。循環ＡＷＧ５１６も循環ＡＷＧ５０２で行われる動作の逆動作を行う。
本発明は上述した特定の実施形態に限定されるものではない。実際、当業者であれば、上記の説明に基づき、特許請求の範囲に記載されている本発明の技術的範囲を逸脱することなく、本発明の実施形態に対し、種々の変更及び修正を施すことが可能であろう。従って、そのような変更及び修正は当然に、本発明の技術的範囲に含まれるべきである。
【産業上の利用可能性】
【００３１】
本発明は、光パケットデータスイッチングネットワークにおいてパケットデータとパケットデータに対するラベルを効果的に伝送、受信することが求められる分野において、ノードとして有用である。
【図面の簡単な説明】
【００３２】
【図１】光パケットデータスイッチングネットワークにおいて副搬送波多重化方式でラベルを伝送する図である。
【図２】本発明に係るパケットデータを伝送するためのパケットデータ波長帯域とラベルを伝送するためのラベル波長帯域を示す図である。
【図３】本発明に係るソースノードでパケットデータとラベルを生成するための構成を示す図である。
【図４】本発明に係る中継ノード、目的先ノードで受信したパケットデータとラベルを処理するための構成を示す図である。
【図５】本発明に係るノードの構造を示す図である。
【符号の説明】
【００３３】
３００、５０６  パケットデータ生成部
３０２          ラベル生成部
３０４、４００、４２０、５０４、５１４  ＣＷＤＭ
４１０          パケットデータ受信部
４１２、５１０  ラベル受信部
４１４、５１２  ラベルスワッピング部
５０２、５１６  循環配列波長発生部（循環ＡＷＧ）
【図１】
2006135988.tif 000003
【図２】
2006135988.tif 000004
【図３】
2006135988.tif 000005
【図４】
2006135988.tif 000006
【図５】
2006135988.tif 000007